(57)【要約】【課題】手術用治療器具を屈曲自在に固定するための蛇腹の固定位置を広範囲に且つ柔軟性を持たせて変更ができる自在固定具を得る。【解決手段】先端部に球体を配設した軸と該軸の後端部に支柱を直線状に結合した支柱部と、前記球体を中心に一方向に傾倒及び全周方向に回動可能に固定ができる拘持機構部で構成する。該拘持機構部は当該拘持機構部を構成する各機構要素を連結固定する台座と、レバーの回転操作により当該レバーの回転軸方向に軸着したボルトに挿着及び螺着した２個の押圧コマの間に配設した拘持カムの傾斜面を押圧又は弛緩ができる傾斜面を有した前記２個の押圧コマを摺動可能に保持するドラムと、支柱部先端の球体を保持すると共に前記拘持カムの傾斜面と反対方向にある押圧面にて前記球体の表面の一部を押圧又は弛緩ができる拘持カムを摺動可能に保持するキャップと、該キャップを回動可能に保持固定するホルダーにて構成する。【選択図】図１
2018134363.tif 000002
【特許請求の範囲】
【請求項１】
先端部に球体を配設した軸と該軸の後端部に支柱を直線状に結合した支柱部と、前記球体を中心に一方向に傾倒及び全周方向に回動可能に固定することができる拘持機構部にて構成することを特徴とした、器具固定装置用自在固定具。
【請求項２】
拘持機構部は、該拘持機構部を器具固定装置のシリンダユニットに固定すると共に当該拘持機構部を構成する各機構要素を連結固定するための台座と、レバーの回転操作により当該レバーの回転軸方向に軸着したボルトに挿着及び螺着した２個の押圧コマの間に配設した拘持カムの傾斜面を押圧又は弛緩することができる傾斜面を有した前記２個の押圧コマを摺動可能に保持するためのドラムと、支柱部先端の球体を保持すると共に前記拘持カムの傾斜面と反対方向にある押圧面にて前記球体の表面の一部を押圧又は弛緩することができる拘持カムを摺動可能に保持するためのキャップと、該キャップを回動可能に保持固定するためのホルダーにて構成することを特徴とした、請求項１に記載の器具固定装置用自在固定具。
【発明の詳細な説明】
【技術分野】
【０００１】  本発明は、外科手術を行う際に使用する脳ベラや内視鏡等の手術用治療器具を固定するための器具固定装置において、該器具固定装置を傾倒及び回動可能にして手術用治療器具を屈曲自在に固定するための蛇腹の固定位置を広範囲に且つ柔軟性を持たせて変更することができる自在固定具に関するものである。
【背景技術】
【０００２】  従来、外科手術を行う際に使用する脳ベラや内視鏡等の手術用治療器具を固定するために、器具固定装置を使用している。該器具固定装置における手術用治療器具の器具固定手段として、ワイヤーに多数の関節コマを挿通して屈曲自在に構成した蛇腹の先端部に前記手術用治療器具を固定するためのアタッチメントを配設し、該蛇腹の基端部に前記ワイヤーを引き締めて任意の位置に器具を固定するためのシリンダユニットを配設して構成する器具固定装置があり、本願出願人においても、特開２０１１−８３５６７号公報の発明の名称「器具固定装置」にて提案した。【０００３】
【特許文献１】特開２０１１−８３５６７
【発明の開示】
【発明が解決しようとする課題】
【０００４】  上記特開２０１１−８３５６７号公報記載の器具固定装置を始め従来の器具固定装置は、シリンダユニットをベッドのサイドレールに垂直に固定して使用している。該状態において、蛇腹の先端部のアタッチメントに固定した手術用治療器具を使用する際には当該蛇腹を屈曲して使用することになるが、蛇腹の構造上急峻に屈曲させることができず、対象部位に十分に届かないという問題点があった。【０００５】  蛇腹を構成する関節コマの個数を増やせば当該蛇腹の長さが長くなり、上記問題点は解決されると思われがちであるが、多関節構造のために長くなればなるほど蛇腹の先端部は揺動するため、該蛇腹の長さを長くすることはできなかった。【０００６】  本発明は、上記問題点を解決するために成されたものであり、外科手術を行なう際に使用する脳ベラや内視鏡等の手術用治療器具を固定するための器具固定装置において、該器具固定装置自体を傾倒及び回動可能にしてベッドのサイドレールに固定させることにより、手術用治療器具を屈曲自在に固定するための蛇腹の固定位置を広範囲に且つ柔軟性を持たせて変更することができ、ストレスなく外科手術が行える自在固定具を得ることを目的とする。
【課題を解決するための手段】
【０００７】  上記課題を解決するため、本発明の器具固定装置用自在固定具は、先端部に球体を配設した軸と該軸の後端部に支柱を直線状に結合した支柱部と、前記球体を中心に一方向に傾倒及び全周方向に回動可能に固定することができる拘持機構部にて構成する。【０００８】  上記拘持機構部は、該拘持機構部を器具固定装置のシリンダユニットに固定すると共に当該拘持機構部を構成する各機構要素を連結固定するための台座と、レバーの回転操作により当該レバーの回転軸方向に軸着したボルトに挿着及び螺着した２個の押圧コマの間に配設した拘持カムの傾斜面を押圧又は弛緩することができる傾斜面を有した前記２個の押圧コマを摺動可能に保持するためのドラムと、支柱部先端の球体を保持すると共に前記拘持カムの傾斜面と反対方向にある押圧面にて前記球体の表面の一部を押圧又は弛緩することができる拘持カムを摺動可能に保持するためのキャップと、該キャップを回動可能に保持固定するためのホルダーにて構成する。
【発明の効果】
【０００９】  本発明の器具固定装置用自在固定具を具備した器具固定装置をベッドのサイドレールに固定して外科手術を行なうようにすれば、器具固定装置自体が傾倒及び回動可能となり、手術用治療器具を屈曲自在に固定するための蛇腹の固定位置を広範囲に且つ柔軟性を持たせて変更することができるため、蛇腹を急峻に屈曲させることもなく十分な長さを確保できるという効果を奏する。このためストレスなく外科手術を行うことができるという効果を奏する。
【発明を実施するための最良の形態】
【００１０】  本発明を実施するための最良の形態を図を用いて説明する。図１は本発明の器具固定装置用自在固定具の外形図であり、（ａ）は正面図、（ｂ）は側面図である。該図に示すように、本発明の器具固定装置用自在固定具１は、先端部に球体９を配設した軸１０と該軸１０の後端部に支柱１１を直線状に結合した支柱部と、前記球体９を中心に一方向に傾倒及び全周方向に回動可能に固定することができる拘持機構部にて構成する。【００１１】  図２は図１におけるＡ−Ａ断面図であり、（ａ）は球体９の弛緩状態、（ｂ）は球体９の押圧状態を示している。図１及び図２で示すように、上記拘持機構部は、該拘持機構部を器具固定装置のシリンダユニットに固定すると共に当該拘持機構部を構成する各機構要素を連結固定するための台座２と、レバー１２の回転操作により当該レバー１２の回転軸方向に軸着したボルト１３に挿着及び螺着した２個の押圧コマ１４，１７の間に配設した拘持カム２５の傾斜面を押圧又は弛緩することができる傾斜面を有した前記２個の押圧コマ１４，１７を摺動可能に保持するためのドラム３と、支柱部先端の球体９を保持すると共に前記拘持カム２５の傾斜面と反対方向にある押圧面にて前記球体９の表面の一部を押圧又は弛緩することができる拘持カム２５を摺動可能に保持するためのキャップ４と、該キャップ４を回動可能に保持固定するためのホルダー５にて構成する。【００１２】  図３はレバーに軸着したボルトに挿通する押圧カムの外形図であり（ａ）は側面図、（ｂ）は背面図である。該図に示すように、押圧カム１４は、レバー１２に軸着したボルト１３の後端部に配設するものであり、ボルト１３に挿通するための挿通穴１６と後述の拘持カム２５の傾斜面と当接して拘持カム２５を押圧カム１４の摺動方向と直角方向に摺動させるための傾斜面１５を削成して成る。【００１３】  図４はレバーに軸着したボルトと螺着する押圧カムの外形図であり、（ａ）は側面図、（ｂ）は背面図である。該図に示すように、押圧カム１７は、レバー１２に軸着したボルト１３の先端部に配設するものであり、ボルト１３と螺着するための螺着溝１９と後述の拘持カム２５の傾斜面と当接して拘持カム２５を押圧カム１７の摺動方向と直角方向に摺動させるための傾斜面１８を削成して成る。【００１４】  図５は本発明の器具固定装置用自在固定具を構成するドラムの外形図であり、（ａ）は平面図、（ｂ）は側面図である。該図に示すように、ドラム３は、上記押圧カム１４，１７を摺動可能に対向して挿入する摺動穴２３を穿孔すると共に該押圧カム１４，１７の摺動方向と直角方向に拘持カム２５を摺動させるための摺動穴２４を穿孔した円柱体２０と、該円柱体２０の両端部を台座２と後述のホルダー５を固定するための螺着穴２２を穿孔した固定板２１を配設して成る。【００１５】  図６は球体の表面の一部を押圧又は弛緩することができる拘持カムの外形図であり、（ａ）は側面図、（ｂ）は背面図である。該図に示すように、拘持カム２５は、円柱体の一端面の上下に上記押圧カム１４の傾斜面１５と上記押圧カム１７の傾斜面１８と当接する傾斜面２６ａ，２６ｂを削成すると共に，該円柱体の他端面の中央に後述のキャップ４内に保持した球体９の表面の一部と当接させるための当該球体９と同一直径を有した押圧面２７を半球状に削成して成る。【００１６】  図７は本発明の器具固定装置用自在固定具を構成するキャップの外形図であり、（ａ）は平面図、（ｂ）は側面図である。該図に示すように、キャップ４は支柱部先端に配設した球体９を保持するための保持溝２８と、該保持溝２８の一端部に前記球体９の表面の一部と当接させるための当該球体９と同一直径を有した押圧面２９と、前記球体９を固定した軸１０を一方向に傾倒させるための傾倒溝８を削成し、他端部外周に後述のホルダー５にて回動可能に保持固定するための凸部３０を削成して成る。【００１７】  図８は本発明の器具固定装置用自在固定具を構成するホルダーの外形図であり、（ａ）は平面図、（ｂ）は側面図である。該図に示すように、ホルダー５はキャップ４に冠着して当該キャップ４に削成した凸部３０を回動可能に保持するための保持穴３１と、該ホルダー５をボルト６にてドラム３の螺着穴２２に固定するための穴３２を削成して成る。【００１８】  上記で説明した各構成要素を組み合わせて本発明の器具固定装置用自在固定具の拘持機構部を構成する。次に上記各構成要素の図および図２に基づいて動作説明を行う。図２の（ａ）は球体９の弛緩状態を示しており、レバー１２を緩めた状態において当該レバー１２に軸着したボルト１３の先端部に螺着した押圧カム１７と後端部に挿着した押圧カム１４との間隔は広がった状態にある。該状態において、前記押圧カム１４の傾斜面１５と押圧カム１７の傾斜面１８とがそれぞれ当接する拘持カム２５の傾斜面２６ａ，２６ｂはボルト１３側に後退し、該拘持カム２５の球体９への拘持力は解放される。このため、符号３８で示す拘持カム２５の押圧面２７と球体９との当接状態と、符号３９で示すキャップ４の押圧面２９と球体９との当接状態とは開放状態となり、該拘持機構部の台座２に固定した器具固定装置は自在に傾倒及び回動して調整可能になる。【００１９】  次に図２の（ｂ）は球体９の押圧状態を示しており、レバー１２を締めた状態において当該レバー１２に軸着したボルト１３の先端部に螺着した押圧カム１７と後端部に挿着した押圧カム１４との間隔は締まった状態にある。該状態において、前記押圧カム１４の傾斜面１５と押圧カム１７の傾斜面１８とがそれぞれ当接する拘持カム２５の傾斜面２６ａ，２６ｂは球体９側に前進し、該拘持カム２５の球体９への拘持力が増大される。このため、符号３８で示す拘持カム２５の押圧面２７と球体９との当接状態と、符号３９で示すキャップ４の押圧面２９と球体９との当接状態とは拘持状態となり、該拘持機構部の台座２に固定した器具固定装置は自在に傾倒及び回動して調整した位置に固定することができる。【００２０】  図９は本発明の器具固定装置用自在固定具の使用状態を示す図であり、（ａ）、（ｂ）何れの図においても、自在固定具１は器具固定装置のシリンダユニット３３の側面上部に当該自在固定具１の台座２とボルト７にて固定されており、更に当該自在固定具１の支柱１１がベッドのサイドレールに固定されたレール固定具３６に固定された支柱固定具３７にて垂直に固定されている。なお前記レール固定具３６は、一般的なバイスを利��したものであるため、詳細は省略する。【００２１】  上記図９の（ａ）は、自在固定具１を使用する前の状態であり、シリンダユニット３３に固定された自在固定具１を垂直状態に固定している状態であり、該状態は従来の固定状態と同等である。該状態において、蛇腹３４を屈曲して蛇腹３４の先端にあるアタッチメント３５に手術用治療器具を固定して手術を行う場合、該蛇腹３４を急峻に屈曲させることができず、その到達距離Ｌ１は短く、対象部位に十分に届かなかった。【００２２】  上記図９の（ｂ）は、自在固定具１を使用している状態であり、シリンダユニット３３に固定された自在固定具１をレバー１２の操作により水平方向に固定している状態である。該状態において、蛇腹３４を屈曲して蛇腹３４の先端にあるアタッチメント３５に手術用治療器具を固定して手術を行う場合、該蛇腹３４を急峻に屈曲させることもなく、その到達距離Ｌ２は前記到達距離Ｌ１に比べて長くなり、対象部位に十分に届くことになる。また、自在固定具１のレバー１２の操作により、垂直方向には図中矢印Ｖで示すように上下の位置変更ができ、水平方向には図中矢印Ｈで示すように左右の位置変更ができ、蛇腹３４の固定位置を広範囲に且つ柔軟性を持たせて変更することができるため、ストレスなく外科手術が行えることになる。
【図面の簡単な説明】
【００２３】
【図１】本発明の器具固定装置用自在固定具の外形図である。
【図２】図１におけるＡ−Ａ断面図である。
【図３】レバーに軸着したボルトに挿通する押圧カムの外形図である。
【図４】レバーに軸着したボルトと螺着する押圧カムの外形図である。
【図５】本発明の器具固定装置用自在固定具を構成するドラムの外形図である。
【図６】球体の表面の一部を押圧又は弛緩することができる拘持カムの外形図である。
【図７】本発明の器具固定装置用自在固定具を構成するキャップの外形図である。
【図８】本発明の器具固定装置用自在固定具を構成するホルダーの外形図である。
【図９】本発明の器具固定装置用自在固定具の使用状態を示す図である。
【符号の説明】
【００２４】  １  自在固定具
２  台座
３  ドラム
４  キャップ
５  ホルダー
６  ボルト
７  ボルト
８  傾倒溝
９  球体
１０  軸
１１  支柱
１２  レバー
１３  ボルト
１４  押圧カム
１５  傾斜面
１６  挿通穴
１７  押圧カム
１８  傾斜面
１９  螺着溝
２０  円柱体
２１  固定板
２２  螺着穴
２３  摺動穴
２４  摺動穴
２５  拘持カム
２６ａ，２６ｂ  傾斜面
２７  押圧面
２８  保持溝
２９  押圧面
３０  凸部
３１  保持穴
３２  穴
３３  シリンダユニット
３４  蛇腹
３５  アタッチメント
３６  レール固定具
３７  支柱固定具
【図１】
2018134363.tif 000003
【図２】
2018134363.tif 000004
【図３】
2018134363.tif 000005
【図４】
2018134363.tif 000006
【図５】
2018134363.tif 000007
【図６】
2018134363.tif 000008
【図７】
2018134363.tif 000009
【図８】
2018134363.tif 000010
【図９】
2018134363.tif 000011